【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
上下端が開口されている筒状のカラム本体と、このカラム本体の上下の開口部を覆って設けられて吸着剤が通過不能である一対の有孔板と、双方の有孔板の外側に中空部を形成して設けられた一対の蓋板と、双方の蓋板の中央部分を貫通して先端部が前記中空部内に位置する一対の原液用導管とを備えている液体クロマト用分離カラムにおいて、
吸着剤用導管を一方の蓋板の中央部分と有孔板の中央部分とに貫通して、その先端部を前記カラム本体の内部に突出して配置するとともに前記カラム本体の内部に対して出没可能に構成し、当該先端部の出没動作を補助するガイド手段を備え、このガイド手段は、前記吸着剤用導管と同じ側にある前記原液用導管を前記吸着剤用導管の外周側に形成して前記吸着剤用導管と二重管を形成することにより構成されたことを特徴とする液体クロマト用分離カラム。
【請求項２】
請求項１に記載の液体クロマト用分離カラムにおいて、
前記吸着剤用導管を塞ぐ閉止プラグを備えたことを特徴とする液体クロマト用分離カラム。
【請求項３】
請求項２に記載の液体クロマト用分離カラムにおいて、
前記吸着剤用導管と同じ吸着剤用導管を、他方の蓋板の中央部分と有孔板の中央部分とに貫通して、その先端部を前記カラム本体の内部に突出して配置したことを特徴とする液体クロマト用分離カラム。
【請求項４】
請求項１〜請求項３のいずれか１項に記載の液体クロマト用分離カラムにおいて、
前記吸着剤用導管と前記有孔板の貫通穴との間にシール材を設けたことを特徴とする液体クロマト用分離カラム。
【請求項５】
請求項１〜請求項４のいずれか１項に記載の液体クロマト用分離カラムにおいて、
前記吸着剤用導管の先端部の外周面に入出孔を設けるとともに、前記先端部の端面に、当該先端部が引っ込んだときに前記有孔板の貫通穴を塞ぐ閉塞部を設けたことを特徴とする液体クロマト用分離カラム。
【手続補正２】
【補正対象書類名】明細書
【補正対象項目名】００１４
【補正方法】変更
【補正の内容】
【００１４】
また、本件発明の液体クロマト用分離カラムは、吸着剤用導管の先端部をカラム本体の内部に対して出没可能に構成した。したがって、原液の導入前に吸着剤用導管の先端部を有孔板側に引っ込めることにより、原液の導入時には原液の流れが吸着剤用導管で乱されるのを抑えることができる。
【手続補正３】
【補正対象書類名】明細書
【補正対象項目名】００１５
【補正方法】変更
【補正の内容】
【００１５】
また、本件発明の液体クロマト用分離カラムは、吸着剤用導管の先端部の出没動作を補助するガイド手段を備えた。したがって、吸着剤用導管の先端部をスムーズに引っ込めることが可能になる。
【手続補正４】
【補正対象書類名】明細書
【補正対象項目名】００１６
【補正方法】変更
【補正の内容】
【００１６】
また、本件発明の液体クロマト用分離カラムは、吸着剤用導管と同じ側にある原液用導管を吸着剤用導管の外周側に形成して吸着剤用導管と二重管を形成することにより、当該原液用導管をガイド手段として構成した。このため、部品点数を増やすことなくガイド手段を備えることが可能になる。
【手続補正５】
【補正対象書類名】明細書
【補正対象項目名】００１７
【補正方法】変更
【補正の内容】
【００１７】
また、本件発明の液体クロマト用分離カラムは、吸着剤用導管を塞ぐ閉止プラグを備えた。したがって、原液を一方の原液用導管からカラム本体の内部に導入する前には、閉止プラグで吸着剤用導管を塞ぐことにより分離カラムの液溜まり部分をなくすことができるので、分離カラム全体を長時間にわたって清潔に保つことができる。
【手続補正６】
【補正対象書類名】明細書
【補正対象項目名】００１８
【補正方法】変更
【補正の内容】
【００１８】
また、本件発明の液体クロマト用分離カラムは、さらに吸着剤用導管を他方の蓋板の中央部分と有孔板の中央部分とに貫通して、その先端部をカラム本体の内部に突出して配置した。したがって、吸着剤をカラム本体の上下いずれの側からも充填することが可能になり、また吸着剤をカラム本体の上下いずれの側からも排出することが可能になる。
【手続補正７】
【補正対象書類名】明細書
【補正対象項目名】００１９
【補正方法】変更
【補正の内容】
【００１９】
また、本件発明の液体クロマト用分離カラムは、吸着剤用導管と有孔板の貫通穴との間にシール材を設けた。したがって、カラム本体の内部に導入された吸着剤スラリーが吸着剤用導管と有孔板の貫通穴との間から漏れて中空部の方に流れるのを防ぐことができる。
【手続補正８】
【補正対象書類名】明細書
【補正対象項目名】００２０
【補正方法】変更
【補正の内容】
【００２０】
また、本件発明の液体クロマト用分離カラムは、吸着剤用導管の先端部の外周面に入出孔を設けるとともに、先端部の端面に、先端部が引っ込んだときに有孔板の貫通穴を塞ぐ閉塞部を設けた。したがって、吸着剤用導管の先端部を引っ込めたときには閉塞部が有孔板の貫通穴を塞ぐことにより、吸着剤用導管と原液用導管とが中空部を介して接続される。したがって、この状態で溶離液を原液用導管から導入することにより、吸着剤用導管内にある吸着剤を外部に排出して吸着剤用導管を洗浄することができる。
【手続補正９】
【補正対象書類名】明細書
【補正対象項目名】００２２
【補正方法】変更
【補正の内容】
【００２２】
また、本件発明の液体クロマト用分離カラムは、原液の導入前に吸着剤用導管の先端部を有孔板側に引っ込められるようにしたので、原液の導入時には原液の流れが吸着剤用導管で乱されるのを抑えることができる。よって、本件発明の液体クロマト用分離カラムは、原液の分離作業を効率良く行うことができる。
【手続補正１０】
【補正対象書類名】明細書
【補正対象項目名】００２３
【補正方法】変更
【補正の内容】
【００２３】
また、本件発明の液体クロマト用分離カラムは、ガイド手段を用いて吸着剤用導管の出没動作を補助するようにしたので、吸着剤用導管の先端部をスムーズに引っ込めることが可能になる。よって、本件発明の液体クロマト用分離カラムは、吸着剤用導管の洗浄作業を迅速に行うことができる。
【手続補正１１】
【補正対象書類名】明細書
【補正対象項目名】００２４
【補正方法】変更
【補正の内容】
【００２４】
また、本件発明の液体クロマト用分離カラムは、原液用導管を吸着剤用導管の外周側に形成して二重管とすることにより原液用導管をガイド手段として構成したので、部品点数を増やすことなくガイド手段を備えることができる。よって、本件発明の液体クロマト用分離カラムは、吸着剤用導管の洗浄作業を、コストを抑えつつ迅速に行うことができる。
【手続補正１２】
【補正対象書類名】明細書
【補正対象項目名】００２５
【補正方法】変更
【補正の内容】
【００２５】
また、本件発明の液体クロマト用分離カラムは、原液をカラム本体の内部に導入する前に閉止プラグで吸着剤用導管を塞ぐようにしたので、分離カラム全体を長時間にわたって清潔な状態に保つことが可能になる。よって、本件発明の液体クロマト用分離カラムは、タンパク質や糖質などのように、分離カラムで液溜まりとなり易い部分に溜まったときに腐敗し易い性質がある原液の分離操作にも利用できる。
【手続補正１３】
【補正対象書類名】明細書
【補正対象項目名】００２６
【補正方法】変更
【補正の内容】
【００２６】
また、本件発明の液体クロマト用分離カラムは、吸着剤用導管を上下側に配置した場合には、吸着剤をカラム本体の上下いずれの側からも充填することが可能になり、また吸着剤をカラム本体の上下いずれの側からも排出することが可能になる。よって、本件発明の液体クロマト用分離カラムは、吸着剤の充填作業や抜き出し作業をさらに簡単に行うことができる。
【手続補正１４】
【補正対象書類名】明細書
【補正対象項目名】００２７
【補正方法】変更
【補正の内容】
【００２７】
また、本件発明の液体クロマト用分離カラムは、吸着剤用導管と有孔板の貫通穴との間にシール材を設けたので、カラム本体の内部に導入された吸着剤スラリーが吸着剤用導管と有孔板の貫通穴との間から漏れて中空部の方に流れるのを防ぐことができる。よって、本件発明の液体クロマト用分離カラムは、吸着剤の充填作業を効率良く行うことができる。
【手続補正１５】
【補正対象書類名】明細書
【補正対象項目名】００２８
【補正方法】変更
【補正の内容】
【００２８】
さらに、本件発明の液体クロマト用分離カラムは、吸着剤用導管の先端部を引っ込めたときに吸着剤用導管と原液用導管とが中空部を介して接続されるようにした。したがって、この状態で溶離液を原液用導管から導入することにより、吸着剤用導管内にある吸着剤を外部に排出して吸着剤用導管を洗浄することができる。その結果、吸着剤用導管に閉止プラグを容易に挿入できるので、分離カラムで洗浄性が悪い部分の液溜まりを確実になくすことができる。よって、本件発明の液体クロマト用分離カラムは、分離カラム全体を長時間にわたってより清潔に保つことができる。